(57)【要約】【課題】仕切板をキャビネット本体外に取り出すことなく、容易に隣接配置されたキャビネット間に連結空間を形成することができ、かつ、隣接配置されたキャビネット間の部分的な仕切構造への需要にも対応可能な電気電子機器収納用キャビネットを提供すること。【解決手段】複数台を連結して使用する電気電子機器収納用キャビネットであって、隣接配置されたキャビネットの連結面側の側面に可動式仕切板５を互いに備え、該可動式仕切板５の水平方向幅は、該キャビネット側面の水平方向幅よりも狭く、該側面内で、該可動式仕切板５を、水平方向にスライド自在に支持する仕切板支持機構を備える。【選択図】図２
2010278050.tif 000002
【特許請求の範囲】
【請求項１】
複数台を連結して使用する電気電子機器収納用キャビネットであって、
隣接配置されたキャビネットの連結面側の側面に可動式仕切板を互いに備え、
該可動式仕切板の水平方向幅は、該キャビネット側面の水平方向幅よりも狭く、
該側面内で、該可動式仕切板を、水平方向にスライド自在に支持する仕切板支持機構を備えることを特徴とする電気電子機器収納用キャビネット。
【請求項２】
可動式仕切板の水平方向幅が、該キャビネット側面の水平方向幅の略半分である
ことを特徴とする請求項１記載の電気電子機器収納用キャビネット。
【請求項３】
該仕切板支持機構が、電気電子機器収納用キャビネットの外枠を構成する骨格フレームの上部奥行フレームに形成した仕切板引掛け用溝部であって、可動式仕切板の上端部を折曲げて形成した引掛け部を、該仕切板引掛け用溝部に係合させて、該可動式仕切板をスライド自在に支持することを特徴とする請求項１又は２に記載の電気電子機器収納用キャビネット。
【請求項４】
電気電子機器収納用キャビネットの外枠を構成する骨格フレームの下部奥行フレームには、仕切板保持用溝部を形成し、可動式仕切板の下端部を折曲げて形成した係止片部を、該仕切板保持用溝部に係合させたことを特徴とする請求項１〜３の何れかに記載の電気電子機器収納用キャビネット。
【請求項５】
複数台を連結して使用する電気電子機器収納用キャビネットであって、
隣接配置されたキャビネットのうち一方のみに連結面側の側面に可動式仕切板備え、
該可動式仕切板の水平方向幅は、該キャビネット側面の水平方向幅よりも狭く、
該側面内で、該可動式仕切板を、水平方向にスライド自在に支持する仕切板支持機構を備えることを特徴とする電気電子機器収納用キャビネット。
【請求項６】
該仕切板支持機構が、電気電子機器収納用キャビネットの外枠を構成する骨格フレームの上部奥行フレームに形成した仕切板引掛け用溝部であって、該仕切板引掛け用溝部を、同一の上部奥行フレームに、２列平行に形成し、該仕切板引掛け用溝部の各々に係合させたことを特徴とする請求項５記載の電気電子機器収納用キャビネット。
【発明の詳細な説明】
【技術分野】
【０００１】
本発明は、例えばデータセンター等に配置され、複数台を連結して使用する電気電子機器収納用キャビネットに関するものである。
【背景技術】
【０００２】
従来、データセンター等では、電気電子機器収納用キャビネットが複数台連結して配置される。これらの電気電子機器収納用キャビネットの隣接配置されたキャビネット間は、着脱可能な仕切板によって分割されている。データセンターでの利用者が異なる場合にセキュリティを確保するため仕切板はキャビネットの内部から施錠されており、隣接するキャビネット同士の扉を開放した時にのみ仕切板を取り外すことが可能な構造となっている。利用者が同一の場合には配線の挿通が可能なように仕切板を外してキャビネット間に連結空間を形成する変更が可能になっている。
【０００３】
該仕切板の着脱機構に関する技術として、例えば、側面に開口を有するキャビネット同士を連結し、連結面に仕切板挿入空間を形成し、該空間には仕切板着脱用のレールを設ける技術が開示されている（例えば、特許文献１）。
【０００４】
しかし、従来の仕切板はキャビネット本体から仕切板を取り外すことを前提とするものであり、キャビネットから抜き出された仕切板を保管するスペースが別途必要になるという問題もあった。更には、挿抜構造からなる従来の仕切板では、例えば、隣接配置されたキャビネットの利用者が同一の場合であって、隣接配置されたキャビネットに配置されるサーバー間で配線を行う場合に、仕切板を完全に取り外すことにより、発熱が低い機器を搭載したキャビネットに発熱の高い機器を搭載したキャビネットからの熱が流入し、各機器同士の発熱の影響を大きく受けるという問題があった。
【先行技術文献】
【特許文献】
【０００５】
【特許文献１】特開２００４−１５８７２３号公報
【発明の概要】
【発明が解決しようとする課題】
【０００６】
本発明の目的は、前記問題を解決し、仕切板をキャビネット外に取り出すことなく、容易に隣接配置されたキャビネット間に連結空間を形成することができ、かつ、隣接配置されたキャビネットの各機器同士の発熱の影響を大きく受けない電気電子機器収納用キャビネットを提供することである。
【課題を解決するための手段】
【０００７】
上記課題を解決するためになされた本発明の電気電子機器収納用キャビネットは、複数台を連結して使用する電気電子機器収納用キャビネットであって、隣接配置されたキャビネットの連結面側の側面に可動式仕切板を互いに備え、該可動式仕切板の水平方向幅は、該キャビネット側面の水平方向幅よりも狭く、該側面内で、該可動式仕切板を、水平方向にスライド自在に支持する仕切板支持機構を備えることを特徴とするものである。
【０００８】
請求項２記載の発明は、請求項１記載の電気電子機器収納用キャビネットにおいて、可動式仕切板の水平方向幅が、該キャビネット側面の水平方向幅の略半分であることを特徴とするものである。
【０００９】
請求項３記載の発明は、請求項１又は２に記載の電気電子機器収納用キャビネットにおいて、該仕切板支持機構が、電気電子機器収納用キャビネットの外枠を構成する骨格フレームの上部奥行フレームに形成した仕切板引掛け用溝部であって、可動式仕切板の上端部を折曲げて形成した引掛け部を、該仕切板引掛け用溝部に係合させて、該可動式仕切板をスライド自在に支持することを特徴とするものである。
【００１０】
請求項４記載の発明は、請求項１〜３の何れかに記載の電気電子機器収納用キャビネットにおいて、電気電子機器収納用キャビネットの外枠を構成する骨格フレームの下部奥行フレームには、仕切板保持用溝部を形成し、可動式仕切板の下端部を折曲げて形成した係止片部を、該仕切板保持用溝部に係合させたことを特徴とするものである。
【００１１】
請求項５記載の電気電子機器収納用キャビネットは、複数台を連結して使用する電気電子機器収納用キャビネットであって、隣接配置されたキャビネットのうち一方のみに連結面側の側面に可動式仕切板備え、該可動式仕切板の水平方向幅は、該キャビネット側面の水平方向幅よりも狭く、該側面内で、該可動式仕切板を、水平方向にスライド自在に支持する仕切板支持機構を備えることを特徴とするものである。
【００１２】
請求項６記載の発明は、請求項５記載の電気電子機器収納用キャビネットにおいて、該仕切板支持機構が、電気電子機器収納用キャビネットの外枠を構成する骨格フレームの上部奥行フレームに形成した仕切板引掛け用溝部であって、該仕切板引掛け用溝部を、同一の上部奥行フレームに、２列平行に形成し、該仕切板引掛け用溝部の各々に係合させたことを特徴とするものである。
【発明の効果】
【００１３】
本発明は、キャビネット複数台を連結して使用する電気電子機器収納用キャビネットにおいて、各々のキャビネットの連結面側の側面パネルを、可動式仕切板として構成し、該可動式仕切板の水平方向幅を、該側面の水平方向幅よりも狭く構成し、更に、該側面内で、該可動式仕切板を、水平方向にスライド自在に支持する仕切板支持機構を備えるものである。各々が当該構成を有するキャビネット同士を隣接配置し、該可動式仕切板を各々反対方向に向けてスライド移動させることにより、仕切板をキャビネット外に取り出すことなく、隣接配置されたキャビネット間に連結空間を容易に形成することができる。また、各々の電気電子機器収納用キャビネット間の仕切板を開放しない場合には、隣接配置された各キャビネットの連結面側で、前記可動式仕切板のそれぞれを、前または後の支柱フレームに接するまでスライド移動させればよい。一方、前記可動式仕切板のそれぞれを、前または後の支柱フレームから、適宜離して配置し、隣接配置されたキャビネット間に部分的な仕切構造を設けることもできる。
【００１４】
また、電気電子機器収納用キャビネットの外枠を構成する骨格フレームの下部フレームには、仕切板保持用溝部を形成し、可動式仕切板の下端部を折曲げて形成した係止片部を、該仕切板保持用溝部に係合させる構成により、可動式仕切板を、より安定して保持することができる。
【００１５】
なお、連結面側の側面の可動式仕切板を一方のキャビネットのみに備え、該仕切板引掛け用溝部を、同一の上部奥行フレームに、２列平行に形成し、該仕切板引掛け用溝部の各々に係合させる構成にしても、一つのキャビネット内で、仕切板をキャビネット外に取り出すことなく、容易に隣接配置されたキャビネット間に連結空間を形成することができる。
【図面の簡単な説明】
【００１６】
【図１】実施形態１のキャビネットの全体図である。
【図２】隣接配置されたキャビネットの説明図である。
【図３】（ａ）図２のＡ−Ａ断面図である。（ｂ）上部奥行フレームの部分拡大図である。
【図４】（ａ）隣接配置されたキャビネット間で可動式仕切板を支持する下部奥行フレームの断面説明図である。（ｂ）可動式仕切板の下端部の部分拡大図である。
【図５】下部奥行フレームに、側板を取り付けた断面図である。
【図６】可動式仕切板の使用説明図である。
【図７】隣接配置されたキャビネット間で可動式仕切板を支持する上部奥行フレームの断面説明図である。
【図８】隣接配置されたキャビネット間で可動式仕切板を支持する下部奥行フレームの断面説明図である。
【発明を実施するための形態】
【００１７】
以下に本発明の好ましい実施形態を示す。
【００１８】
（実施形態１）
図１には、実施形態１の電気電子機器収納用キャビネットの全体図を示している。図２には、隣接配置されたキャビネットの説明図を示している。なお、図２では、説明の便宜のため、一方のキャビネットからパネル（天板１１・前面扉１２・側板１３）を取り外した状態図を示している。
【００１９】
図１に示すように、本発明のキャビネット１の外枠骨格は、キャビネット１の支柱となる支柱フレーム２と、該支柱フレーム２の上端部でキャビネット１の奥行方向に架橋された上部奥行フレーム３１と、該支柱フレーム２の下端部でキャビネット１の奥行方向に架橋された下部奥行フレーム３２と、キャビネット１の幅方向に架橋された幅フレーム４をコーナ金具６で接合して構成されている。なお、これらのフレーム素材は、アルミ引抜材とすることが好ましいが、これに限定されるものではなく例えば鉄をロール成形したものでもよい。
【００２０】
図２に示すように、本発明のキャビネットは、キャビネット１を複数台連結して使用する電気電子機器収納用キャビネットであり、連結側面に備えた可動式仕切板５を支柱フレームから、適宜離して配置する。すなわち、可動式仕切板５をキャビネットの奥行方向に移動させて、隣接配置されたキャビネット間に連結空間を形成する。該可動式仕切板５は、上部奥行フレーム３１と下部奥行フレーム３２の間で、スライド自在に支持されている。
【００２１】
図３（ａ）には、図２のＡ−Ａ断面図（隣接配置されたキャビネット間で可動式仕切板５を支持する上部奥行フレーム３１の断面説明図）、図３（ｂ）は、その部分の斜視図を示している。また、図４（ａ）には、隣接配置されたキャビネット間で可動式仕切板５を支持する下部奥行フレーム３２の断面説明図を示していて、図４（ｂ）は可動式仕切板５の下端部を示している。
【００２２】
可動式仕切板５の水平方向幅（Ｘ）は、キャビネット１の側面の水平方向幅、すなわちキャビネットの奥行寸法の略半分となっている。可動式仕切板５は、上端部をコ字状に折曲形成した引掛け部５ａと、下端部をクランク状に折曲形成した係止片部５ｂと、ガイド部５ｃを備えている。
【００２３】
上部奥行フレーム３１には、仕切板引掛け用溝部３１ａが形成され、該仕切板引掛け用溝部３１ａには、前記可動式仕切板５の引掛け部５ａがスライド移動可能に係合されている。また、前記可動式仕切板５のガイド部５ｃは、上部奥行フレーム３１の下端部内側にスライド移動可能に当接されている。
【００２４】
下部奥行フレーム３２には、仕切板保持用溝部３２ａが形成され、該仕切板保持用溝部３２ａには、前記可動式仕切板５の係止片部５ｂが係合されている。下部奥行フレーム３２の該仕切板保持用溝部３１ａ周辺には、その他に、仕切板嵌込時に仕切板５の下端をガイドして仕切板保持用溝部３２ａに導く傾斜辺３２ｂ、クランク状に折曲形成した係止片部５ｂの水平部５ｄを支持する保持辺３２ｃ、係止片部５ｂの位置規制を行う規制辺３２ｄとが形成されている。可動式仕切板５の水平部５ｄと平行に形成した補強辺５ｆには、ファスナを装着するための孔部５ｅが形成されており、下部奥行フレーム３２の上端部に形成した部材取付溝３２ｅへ前記ファスナの先端部を挿入して係合させることにより、可動式仕切板の位置をスライドの途中で固定可能としている。
【００２５】
また、規制辺３２ｄは可動式仕切板５がスライド移動する時に下部奥行フレーム３２の外側に振れることを防止するための位置規制部材であり、可動式仕切板５の位置規制の他、図５に示すような、側板１３取り付ける場合にも位置規制部材として機能するものである。
【００２６】
その他、該部材取付溝３２ｅには、例えば、コーナ金具６を介して直交する他のフレームに渡す補強構造（筋交い）を取付けることができる。
【００２７】
なお、可動式仕切板５の上下端部で、上部奥行フレーム３１および下部奥行フレーム３２と係合する面には、スライド抵抗の少ない塗料による表面処理を施すことが好ましい。これにより、ローラ等の特別なスライド装置を用いることなく、該可動式仕切板５を、上部奥行フレーム３１および下部奥行フレーム３２内で自在にスライドさせることができる。
【００２８】
上述したような奥行寸法の略半分とした可動式仕切板５を連結面に備えたキャビネット同士を連結させることにより、キャビネット１の連結面には奥行寸法全体に渡る一対の可動式仕切板５が形成されることになる。
【００２９】
各々が当該構成を有するキャビネット１を隣接配置し、該可動式仕切板５を各々反対方向に向けてスライド移動させることにより、仕切板５をキャビネット１外に取り出すことなく、容易に隣接配置されたキャビネット間に連結空間を形成することができる。例えば、図６に示すように、各々のキャビネット間の仕切板を開放しない場合には、隣接配置された各キャビネット１の連結面側で、前記可動式仕切板５のそれぞれを、前または後の支柱フレーム２に接するまでスライド移動させればよい（図６−（ａ））。
【００３０】
この場合に双方のキャビネットの内側に可動式仕切板同士を鎖錠する鎖錠手段７を設けておくことにより、隣接配置されたキャビネットの使用者が異なる場合にも双方の利用者が同一でない限り可動式仕切板５をスライド移動させることができず、セキュリティを確保することができる。
【００３１】
一方、利用者が同一の場合には前記可動式仕切板５のそれぞれを、前または後の支柱フレーム２から、適宜離して配置し、隣接配置されたキャビネット間に部分的な仕切構造を設けることもできる（図６−（ｂ））。したがって、隣接配置されたキャビネットに配置されるサーバー間で配線を行う場合に、仕切板を完全に取り外すことにより、発熱が低い機器を搭載したキャビネットに発熱の高い機器を搭載したキャビネットからの熱が流入し、各機器同士の発熱の影響を大きく受けることを抑制することができる。
【００３２】
また、キャビネット内部で可動式仕切板５を移動させるため、仕切板を別途保存する必要もない。
【００３３】
（実施形態２）
図７には、隣接配置されたキャビネット間で可動式仕切板５を支持する上部奥行フレーム３１の断面説明図を示し、図８には、隣接配置されたキャビネット間で可動式仕切板５を支持する下部奥行フレーム３２の断面説明図を示している。
【００３４】
本実施形態の電気電子機器収納用キャビネットは、隣接配置されたキャビネットのうち一方のみに連結面側の側面に可動式仕切板備えたものであり、該可動式仕切板の水平方向幅は、該キャビネット側面の水平方向幅よりも狭く、該側面内で、該可動式仕切板を、水平方向にスライド自在に支持する仕切板支持機構を備えた点は実施形態１と同じである。すなわち、本実施形態では同一の上部奥行フレーム３１に、仕切板引掛け用溝部３１ａが２列平行に形成され、同一の下部奥行フレーム３２に、仕切板保持用溝部３２ａが２列平行に形成されている。
【００３５】
これらの仕切板引掛け用溝部３１ａおよび仕切板保持用溝部３２ａのそれぞれに、キャビネットの側面幅よりも狭い幅を有する可動式仕切板５を２枚係合させ、該可動式仕切板５を各々反対方向に向けてスライド移動させることにより、仕切板５をキャビネット外に取り出すことなく、容易に隣接配置されたキャビネット間に連結空間を形成することができる。すなわち、隣接配置されたキャビネットの一方のみに前記した上部奥行フレーム３１及び下部奥行フレーム３２を採用すれば、他方のキャビネットには仕切板引掛け用溝部３１ａ及び仕切板保持用溝部３２ａを備えたものでなくても実施形態１と同様の効果を得られる。
【符号の説明】
【００３６】
１  キャビネット本体
１１  天板
１２  前面扉
１３  側板
２  支柱フレーム
３１  上部奥行フレーム
３１ａ  仕切板引掛け用溝部
３２  下部奥行フレーム
３２ａ  仕切板保持用溝部
３２ｂ  傾斜辺
３２ｃ  保持辺
３２ｄ  規制辺
３２ｅ  部材取付溝
３２ｆ  係止溝
４  幅フレーム
５  可動式仕切板
５ａ  引掛け部
５ｂ  係止片部
５ｃ  ガイド部
５ｄ  水平部
５ｅ  孔部
５ｆ  補強辺
６コーナ金具
７鎖錠手段
【図１】
2010278050.tif 000003
【図２】
2010278050.tif 000004
【図３】
2010278050.tif 000005
【図４】
2010278050.tif 000006
【図５】
2010278050.tif 000007
【図６】
2010278050.tif 000008
【図７】
2010278050.tif 000009
【図８】
2010278050.tif 000010